(57)【要約】  本発明は、ペレットストーブ、燃料油ストーブ、及び木材燃焼ストーブ、又はガスボイラーのような家庭用暖房設備からの大気の中への有害排出物、家庭用利用及び商業用利用のための木材燃焼オーブンからの排出物、並びに工業用設備及び大型船舶からの排出物の削減のための装置及び関連する方法を参照する。
2019512389.tif 000002
【特許請求の範囲】
【請求項１】
家庭用暖房設備、並びに／又は家庭用利用及び商業用利用のための木材燃焼オーブンからの排出ガスにおける有害排出物の削減のための装置であって、実質的に円筒形の形状の密閉容器（１）を備え、
前記容器（１）には、処理される排出ガスの入口のためのダクト（Ｅ）と処理された排出ガスの出口のためのダクト（Ｕ）とが少なくとも設けられ、
前記容器（１）の内側に、表面（４）及び（８）を有し、且つ穴を有する少なくとも１つのフランジ（７）によって互いに接合される、前記容器（１）と同軸の実質的に円筒形の少なくとも２つの部分が位置決めされ、
前記表面（４）及び（８）において、前記表面と前記容器（１）の内側表面との間に形成された空間と、表面（４）及び（８）を有する内側部分を連通させる穿孔要素（３）及び（５）の２つのアレイが、それぞれ放射状に位置決めされて、処理される前記排出ガスが、前記容器（１）の下側部分の前記穿孔要素（３）を通って前記容器の内側に入り、前記少なくとも１つのフランジの前記穴を通って前記空間において上方に移動し、前記容器の上側部分の前記穿孔要素（５）を通って排出し、
前記装置は、
吸収溶液であって、前記溶液に完全に浸漬された前記穿孔要素（３）を維持するような量の吸収溶液と、
前記穿孔要素（３）及び（５）のアレイの間の前記容器の中間部分において、前記アレイの間の直接的な流体連通を防止するために、１つ以上の分離壁と
を更に備える、装置。
【請求項２】
前記吸収溶液が、エチレングリコールの濃縮水溶液である、請求項１に記載の装置。
【請求項３】
前記容器（１）における前記吸収溶液は、前記要素（３）のアレイが５〜１０ｃｍの前記要素（３）の高さを超えるレベルの前記溶液に完全に浸漬される量である、請求項１又は２に記載の装置。
【請求項４】
前記吸収溶液のレベル及び／又はその飽和度を検出し、信号を送るセンサ手段を更に備える、請求項１〜３の何れか一項に記載の装置。
【請求項５】
前記穿孔要素（３）及び／又は（５）は、容器（１）における前記空間に面する表面にのみ配置された穴を有する、請求項１に記載の装置。
【請求項６】
前記穿孔要素（３）及び／又は（５）には、０．７〜５．０ｍｍの範囲の直径を有する穴が設けられている、請求項１又は５に記載の装置。
【請求項７】
前記穿孔要素（３）のアレイと前記穿孔要素（５）のアレイとの間に、前記容器（１）の一部から排出する前記ガス流の力に原因する電気エネルギーを生成するための手段を備えるモジュールを更に備える、請求項１〜６の何れか一項に記載の装置。
【請求項８】
前記容器（１）に対して外部であって、処理されたガスの前記出口の下流にタンクを更に備え、前記タンクには、処理後に場合によっては残っている任意の未燃焼粒子を捕捉することができるフィルタが設けられている、請求項１〜７の何れか一項に記載の装置。
【請求項９】
前記容器（１）に対して外部であって、処理されたガスの前記出口の下流にタンクを更に備え、前記タンクには、前記処理されたガスによって場合によっては引き込まれた前記吸収溶液を収集することができる凝縮液を収集するためのフィルタと、前記容器（１）の内側に前記凝縮液を戻すことができるパイプとが設けられている、請求項１〜８の何れか一項に記載の装置。
【請求項１０】
前記吸収溶液を、冷却手段、及び前記溶液に蓄積された微粒子を保持することができるフィルタを介して前記溶液を通過させ、その後、前記容器（１）の内側に冷却され濾過された前記溶液を再導入することによって、冷却し再生するためのシステムを更に備える、請求項１〜９の何れか一項に記載の装置。
【請求項１１】
家庭用暖房設備、並びに／又は家庭用利用及び商業用利用のための木材燃焼オーブンからの排出ガスにおける有害排出物の削減のための方法であって、前記設備及び／又はオーブンからの前記排出ガスを、請求項１〜１０の何れか一項に記載の装置における吸収溶液を通って前記ガスを泡立てることによって、大気の中へのその放出の前に処理するステップを含む方法。
【請求項１２】
前記溶液を通って泡立てられる前記ガスは、細かく分割された形態である、請求項１１に記載の方法。
【発明の詳細な説明】
【技術分野】
【０００１】
本発明は、ペレットストーブ、燃料油ストーブ、及び木材燃焼ストーブ、又はガスボイラーのような家庭用暖房設備からの大気の中への有害排出物、並びに家庭用利用及び商業用利用の木材燃焼オーブンからの排出物、及び工業用設備と大型船舶からの排出物を削減するための装置及び関連する方法を参照し、従って、このような設備の分野における応用を見出す。
【背景技術】
【０００２】
主に、現代の生活が我々に課す必要性、消費の増加とその結果としての工業生産、暖房手段の不注意な使用、及び車両交通量の増加のために、世界全体が現在、深刻な環境危機の期間を経験している。また、世論の圧力、及び環境保護のために近年に新しく設立された団体の圧力に基づいて、現在、汚染による被害を制限し、特に未来のためにその原因を低減することを目指して、国際機関から地方自治体まで多くの構想がある。残念なことに、これらの構想は、通常、純粋に緩和して明白な効果を有する、自動車の交互使用のような軽度の救済をもたらす一方、都市は、人々の健康に有害な影響以上の深刻な大気汚染問題に悩まされ続けている。
【０００３】
家庭用暖房手段、並びに第３次産業及び商業部門用の暖房設備は、有害排出物が懸念される限り、輸送部門又は工業生産に匹敵する、重大な汚染源である。今のところ、少なくとも輸送部門においては、国家及び欧州共同体の規制が課せられて車両の欧州分類を通じて大気排出物に制限を設定する一方で、国内排出物に対しては重要な環境対策は採用されていない。これは、この型の排出物に関する情報の不足、特定の地域にストーブ及びボイラーの数を登録することの困難性、家庭用燃料油ボイラー又は木材ストーブ等からの汚染物質の排出の環境上の実際の影響が分かっていないためであって、従って、今まで、特定の効果的な措置は採用されていない。これに加えて、経済的な理由だけでなく、他より暖房システムの選択を案内する心理的な理由もあり、実際、暖炉又はペレットストーブ若しくは木材ストーブからの大気の中への微粒子の排出物は、ガス又は天然ガスボイラーによって出る排出物よりはるかに多く、燃料油暖房設備からの排出物より更に多いことが実証されるが、一般的に、近年、木材又はペレットの暖房設備は熱狂的な支持を見出しており、この種の暖房設備は特定の拡大を経ている。加えて、木材又はペレットの暖房は、安価な型の暖房と考えられ、別のものの代わりの暖房設備の選択は、経済的な理由からのみ行われて、通常、これらの暖房システムは、より少ない粒子量を生成するように利用可能であるフィルタ又は特別な燃焼室がないが、より高価なものとして見捨てられる。この結果、暖炉又はペレットストーブは、通常知覚されるよりはるかに高い粒子状排出物を大気の中に出し、例えば、単一のペレットストーブは３５０の天然ガスボイラーによって生成されるものに匹敵する粒子量を大気に出すと推定される。
【０００４】
粒子状物質又はＰＭは、設備からの排出物における全ての汚染物質の１つであって、特にまた自動車の排出によって生成される都市においては、大気質により大きい悪影響を与えると考えられる。粒子状物質という用語は、通常、空中に浮遊し、数ナノメートルから５００マイクロメートルまでとそれ以上との間で変化する直径を有する金属、シリカ、炭素粒子、等からなる、物質、液体、及び固体を示す。１０マイクロメータ未満の直径の粒子からなるＰＭ１０として知られている粒子画分が、人々の健康にとって特に危険であって、このような小さいサイズのために、人によって吸入されると、それらのサイズに応じて深い気道に到達し得、呼吸器系及び心臓血管系に多かれ少なかれ有害な作用を及ぼし、腫瘍及び他の重篤な疾患の発症を判定するまでに、肺の肺胞壁に更に達する。
【０００５】
粒子状排出物に加えて、バイオマス、特に木材の燃焼は有機化合物及び窒素酸化物を大量に生成し、この結果、健康に刺激性であって有害排出物を生成し、また、現在もはや森林によってバランスがとれない大気におけるＣＯ２の量の増加に寄与する。このガス状排出物は、地球温暖化及び地球を取り巻くオゾン層の枯渇の原因となる温室効果ガスであって、全ての影響に対して危険な環境汚染物質である。
【０００６】
大型船舶からの排出ガスであっても商業用及び観光用の港においては大気汚染の主な原因と考えられ、それはほぼ１０％の硫黄を含有するので、この排出ガスはまた、作物及び建物に損傷を与える酸性雨に寄与する。
【０００７】
特許文献１は、家庭用及び工業用設備から排出するガスの処理のための過程を開示する。
【０００８】
上記の理由から、家庭用又は商業用設備からの汚染排出物の問題、特に粒子状物質及びＣＯ２の排出の問題が強く感じられる。しかし、現在まで、二次的な欠点又は設備に制限を与えることなく、そのような排出を低減することに効率的な装置を提供するという技術的問題は未だ解決されていない。
【先行技術文献】
【特許文献】
【０００９】
【特許文献１】スイス国特許第６７６４３６号明細書
【発明の概要】
【発明が解決しようとする課題】
【００１０】
本発明の範囲は、家庭用暖房設備及び商業用木材燃焼オーブンの出口からの有害排出物の削減のための装置であって、特に排出物における微粒子及び二酸化炭素の低減のために有用であって、この結果、この種類の設備によって引き起こされる大気汚染の低減に寄与する高い削減効果を有する装置を提供することである。
【００１１】
本発明の更なる目的は、任意の種類の設備の煙道に、それらの効率を損なうことなく、又は設備自体の動作に他の欠点を引き起こさずに、容易に設置され得る上記型の装置を提供することである。
【００１２】
また、本発明の更なる範囲は、有害排出物を内側に蓄積することができ、排出物の削減の高い効率を経時的に維持して容易に再生されることができる上記型の装置を提供することである。
【００１３】
また、本発明の更なる範囲は、家庭用暖房設備からの及び商業的利用のための木材燃焼オーブンからの有害排出物の削減のための有効な方法であって、大気へのそれらの排出の前に設備からのガスを処理することを含む方法を提供することである。
【００１４】
また、本発明の更なる範囲は、工業用設備及び大型船舶からの有害排出物の削減のために有効な装置及び方法であって、大気の中に入る前にそれらの排出ガスを処理することを含む装置及び方法を提供することである。
【課題を解決するための手段】
【００１５】
これらの範囲は、本質的な特徴が本明細書に添付された独立請求項にそれぞれ画定される、本発明による装置及び方法によって達成される。
【００１６】
更なる重要な特徴は、従属請求項に含まれる。
【００１７】
本発明の装置の特徴及び利点は、添付の図面を参照して、その実施形態の以下の例示的で非限定的な説明から明らかになるであろう。
【図面の簡単な説明】
【００１８】
【図１】第１の実施形態における本発明の装置の部分的に分解された正面図を示す。
【図２ａ】図１の装置の内側構造の正面図である。
【図２ｂ】図１の装置の要素外部容器の正面図である。
【図３】第２の実施形態における本発明の装置の正面図である。
【図４】図１又は図３の装置における内側構造の要素の縦断面図を示し、以下に「微小穿孔要素」として示される。
【発明を実施するための形態】
【００１９】
添付の図面を参照して、家庭用暖房設備及び商業用オーブンからの排気物質を処理するための本発明の装置は、少なくとも２つの穴が設けられた実質的に円筒形の形態の管状容器１を備え、１つは、特別な入口ダクトＥを通って処理される排気ガスの入口のために装置の中央部分にあって、１つは、特別な出口ダクトＵを通って処理された排気ガスの出口のために上側部分にある。
【００２０】
図１及び図２を特に参照すると、容器１のモジュール構造が、その好ましい実施形態（特に図２ｂを参照）に示され、３つの分離された部分１１、１２、及び１３によって形成され、一般的に、容器１は、装置のメンテナンス及び内側構造が要求し得る修理の可能な操作を容易にするために、以下でより多く説明される支持フランジによって互いに接合された少なくとも２つの分離された部分からなる。
【００２１】
特にストーブ及びボイラーからの排出物の処理に適した本発明の装置の第１の実施形態が図２ａに示され、ダクトＥから処理される排気ガスは、例えば実質的に平行六面体の形態を有し、容器１の長手方向軸線に垂直な平面に放射状に位置決めされ、その下側部分、例えば図２ｂを参照して容器の部分１１に配置される、穿孔要素３のアレイの内側に向けられる。微小穿孔要素３は、内側円筒形表面４に位置決めされ、円筒形表面４を通って、処理される排出物が到着する装置の内側と流体連通する。要素３及びそれらの微小穿孔表面を通って、そして、排気ガスは、外部容器の部分１１と内側円筒形表面４との間に形成された空間に出る。容器のこの部分１１に、吸収溶液が、溶液内で泡立つことによって逃げるガスを有するこの溶液に完全に浸漬された穿孔要素３のアレイを維持するような量で含有され、従って、本明細書では、要素３のアレイは、「バブラー」として参照されることがある。有利には、吸収溶液のレベルは、例えば、５〜１０ｃｍの要素３のアレイの高さを超えて、溶液におけるそれらの完全な浸漬が保証される。
【００２２】
本発明において、「吸収溶液」は、排気ガスにおいて存在する有害物質、特に粒子状物質及び二酸化炭素の削減に適した任意の液体物質又は溶液を意味し、好ましくは「吸収溶液」は、エチレングリコールの濃縮水溶液を意味し、より好ましくはエチレングリコール水溶液５０％を意味する。これらのエチレングリコールの水溶液は、自動車産業においてまた、特に燃焼エンジン、燃料、及び自動車ガラスを洗浄する液体のためのタンクにおける凍結防止液体添加剤として広く使用される。実際、エチレングリコールは、この溶液をそれぞれ−３８℃で固化させ、＋１０８℃で沸騰させる、水の氷点下降及び沸点上昇を引き起こし、従って、溶液は、また凍結防止添加剤としての又は燃焼エンジンのラジエータのための冷却液としての使用をもたらす最も極端な気象条件における温度を含むように、非常に広い温度範囲で液体の状態である。その上、本発明によるエチレングリコールの水溶液は、排気ガスにおける有害物質の削除のために有用な更なる薬剤、例えば１つ以上の酸化剤を含むことができる。
【００２３】
特定の実施形態を参照する本発明のガスバブラーの構造は、単一の要素３の構造を示す図４により詳細に示される。ダクトＥから、処理されるガス状排出物は、要素３の中に入り、要素３からそれらの表面における穴を通って出る。本発明の装置の好ましい実施形態によれば、要素３は、表面４と容器の部分１１との間の空間に面するそれらの表面のみに位置決めされた穴を有し、実際、このようにして、ガスは、吸収溶液と接触する気泡の滞留時間を最大にするガスバブラーから出る。これは、特に符号３１が要素３の穿孔表面を示す図４から理解されることができる。また図４を参照すると、特定の実施形態が示され、この実施形態においては、要素は、入口穴３３を通ってダクトＥに直接又は収集容器によって入るガスが湾曲されたダクト３２を通って穿孔表面３１に向かって導かれるような内側構造を有する。
【００２４】
本発明の好ましい実施形態によれば、ガスバブラーの要素３における穴は、その上、それらから溶液に向かって排出するガス流が細かく分けられて微小気泡を生成するような寸法を有し、典型的には、これらの穴は、０．７〜５．０ｍｍに含まれる、好ましくは約３．５ｍｍに等しい直径を有する。本発明の装置のこの好ましい特徴は、他の条件が全て同じの場合に、気泡と溶液自体との間のより広い接触面のために、吸収溶液におけるガスの処理の効率を最大化にすることを可能にし、更に、容器の内側の気泡をより容易に上昇させて逃げ易くすることを可能にする。
【００２５】
従って、吸収溶液の内側の処理されたガスの微小気泡は、例えば実質的に平行六面体の形態の、容器１の長手方向軸線に垂直な平面に放射状に位置決めされ、その上側部分、例えば図２を参照して部分１３に、吸収溶液の上方に配置される、穿孔要素５の第２のアレイに向かって、容器１の内側で上方に移動する。ガスは、容器１の部分のための支持フランジにおける穴のため、容器の内側で上方に移動することができ、図２ａを参照して、穴は、容器１の部分１１と１２とを接合するフランジ６と、同じ容器の部分１２と１３とを接合するフランジ７に見ることができる。フランジ７における穴からのガスは、要素５が寄りかかる円筒形表面８の内側と流体連通する、要素５の内側の微小穿孔表面を通って入り、それらによって出口ダクトＵに向かって導かれ得る。
【００２６】
微小穿孔要素５の第２のアレイは、実際には、直接的に、又は要素５を出口ダクトＵと連通させる接続要素を通って、処理された排出ガスの出口ダクトＵと連通する。上記ガスバブラー及び要素３の場合と同様に、穿孔要素５の配列についてもまた、穴が要素３のために上記で報告されたサイズを有し、及び／又はそれらが表面８と容器の部分１３との間の空間に面する要素５の表面にのみ位置決めされる実施態様が好ましい。
【００２７】
本発明の特定の実施形態によれば、本発明の装置は、微小穿孔要素３及び５の２つのアレイの間の中間にある容器１の部分において、例えばインバータに接続された水力発電タービンによって、装置から排出する排気ガス流の動力から電気エネルギーを生成するためのモジュールを更に備えてもよい。
【００２８】
有利には、エネルギーを生成するための上記モジュールは、取り外し可能なモジュールであって、本発明の装置の使用における必要性に依存して比較的容易に取り付けられ又は取り外されることができる。
【００２９】
本明細書に添付された図３を特に参照して、商業用オーブン及び暖炉からの排出物の処理に特に適する、本発明の装置の第２の実施形態が説明され、装置の底部の入口ダクトＥから、処理される排出物は、図２ａの装置のために上記で説明されたような構成及び位置を有する、放射状の微小穿孔要素３に位置決めされた表面４の管状部分に含有される、上記で説明されたような吸収溶液を通過させられる。微小穿孔要素３の出口において処理されたガスは、容器１の内側で上方に移動し、フランジ７の穴を通って、管状表面８において放射状に位置決めされた微小穿孔要素５に、管状８の内側のそれらの微小穿孔表面を通って入ることによって達し、ここからガスは出口ダクトＵから逃げる。図３に示される本発明の装置の内部構造がまた、図２ｂに示され且つ上記で説明されたような、好ましくはモジュール構造の容器１の内側に配置される。
【００３０】
ダクトＵから排出するガスは、空気の中への排出のために外側に直接導かれることができ、又は好ましくは、ガスバブラーにおける捕捉から逃げられる可能性のある未燃焼粒子を捕捉するために適したフィルタ、例えば活性炭フィルタを含有する、容器１の外側の専用タンクに導かれる。有利には、このタンクは、飽和に達するとこのフィルタを交換するために開かれることができる。
【００３１】
本発明の装置は、排気物質の処理からの粒子状物質を蓄積した吸収溶液の再生のためのシステムを更に備えてもよい。このシステムは、蓄積された微粒子からの溶液の浄化のために適した特別なフィルタ及び溶液を冷却するための手段を含有する、容器１の底部から再生される吸収溶液を採取するための、例えば、図１、図２、及び図３で見ることができるタンク９を含む。有利には、このフィルタがまた、飽和に達すると外側から容易に交換されることができる。このように再生され、冷却された溶液は、リサイクルポンプ及び特別なパイプラインによって容器１の内側に戻されることができる。このシステムにおいては、再生される溶液のフィルタへのアクセス及び再生された溶液の容器１の中への進入を支援し、制御する目的で、１つ以上のバルブが設けられることができる。本発明の装置の好ましい実施形態によれば、フィルタ付きタンクは、フィルタの消耗を直接的且つ迅速な視覚的制御を可能にするために透明材料で作られる。
【００３２】
本発明の装置の好ましい実施形態によれば、装置は、出口に向かって上方に移動する気泡によって引き込まれる吸収溶液を収集するために、凝縮液を収集するための特別なフィルタが内側において設けられた追加のタンクを更に備えることができる。この追加のタンクは、存在する場合には、容器１の中間部分において吸収溶液の最高レベルの上に好ましくは配置され、それは、排出物の処理のために再び使用され得るように、液体凝縮物を容器１の内側に戻すためのパイプ１０によって提供される。
【００３３】
容器１には、外側からより容易に到達可能な位置に、封止プラグを有する開口が、吸収溶液が必要であることが判明した場合に、吸収溶液の補充のために設けられてもよい。
【００３４】
本発明の装置１は、ガスバブラーと一度処理されたガスの出口のための穿孔要素５のアレイとの間の中間領域に、空間の分離のための、特に容器の部分１１及び１２の分離のための１つ以上の壁を更に備えて、ガス排出物は、フランジにおける穴を通ってのみ容器１の内側で上昇することができ、吸収溶液が上方に移動することが防止される。
【００３５】
本発明の装置の特別の内部構造のため、特に上記で説明された分離壁のため、気泡は、容器の下側部分における吸収溶液を通過することによって処理され、そして、分離壁によって形成されたセルを通って容器の上側部分における出口まで上方に移動し、これは、吸収溶液が外側に流出する危険なしに、分離壁の存在によってそれにまた与えられた安定化のために、気泡が上方に移動し、搬送され、出口に導かれることを特に容易に生じる。
【００３６】
本発明の装置は、装置が設置される煙道に応じて、添付の図に示されたものとは異なる形状及びサイズで製造されることができる。本発明の装置はまた、工業用設備に設置されることができ、大型船舶の排気システムへの設置のために造船業において有用であり得、これらの場合においてもまた、環境と人々の健康に重大な利益をもたらす有害排出物の削減のための効率的なシステムである。
【００３７】
本発明の装置の好ましい実施形態によれば、それは、ガスバブラーの内側の吸収溶液のレベル及び／又は飽和度を検出し、これらのデータの信号を、装置の外側から見ることができる故障信号システムに接続された電子制御ユニットに送ることに適したセンサ手段を更に備える。これらのセンサ手段のため、ユーザは、溶液及び／又は外部フィルタがメンテナンスサービスを必要とする場合に、リアルタイムで通知され得る。更なるセンサ手段が、出口ガスの収集タンクにおけるフィルタ及び／又は吸収溶液の再生のためのフィルタの飽和度の検出のために、本発明の装置に含まれることができる。この場合においてまた、検出されたデータの信号が、容器の外側のディスプレイに、専用の電子システムによって送られてもよい。
【００３８】
その上、本発明の装置は、容器の内側の温度を検出することができる設置されたプローブによって、容器の内側の温度を測定するためのセンサ手段を備えてもよい。
【００３９】
実験においては、本発明の装置は、例えば高温を必要とすることなく、通常の圧力及び温度条件下で作動して、有害物質、特に粒子状物質の削減において高い効率を有することが観察された。従って、本発明の装置は、ボイラー若しくはそれが接続されるストーブの動作に関する如何なる影響も有せず、又はそれらの消費に関する悪影響を有しない。粒子状物質の削減とは別に、本発明の吸収溶液はまた、ストーブ、ボイラー、及び商業用オーブンの放出によって排出されるＣＯ２の５０％までを捕捉することができる。以下でより詳細に説明されるように、排気の不透過度が本発明の装置の設置の前後に測定される同じ車両の排出物における微粒子の重要な低減が実験的に観察された。
【００４０】
本発明の装置はまた、木材、ペレット、ガス、燃料油を含む任意の燃料を使用するストーブ及びボイラーからの排出物における有害物質を低減するために有用である。
【００４１】
本発明の装置及び方法の第１の主な利点は、使用される吸収溶液が水溶液であることができ、一般的に、使用可能な溶質、特にエチレングリコールが環境に対して完全に無害な非汚染製品であるという事実によって示される。従って、本発明の装置は、大気への汚染物質の排出を効率的に低減することを可能にするだけでなく、環境に他の汚染物質をもたらさない。
【００４２】
また、本発明の装置及び方法の更なる利点は、吸収溶液が簡単且つ環境に優しい方法で装置が設置される設備の内側に連続的に再生されることができ、また、一度使い尽くされて容易に交換され得る外部フィルタに蓄積される微粒子の残留物を収集する可能性を与えるという事実によって示される。
【００４３】
本発明が、好ましい実施形態を参照して以上において説明された。特許請求の範囲の保護の範囲によって画定されるような同一の発明の中核に由来する他の実施形態が存在し得ることを理解されたい。
【図１】
2019512389.tif 000003
【図２ａ】
2019512389.tif 000004
【図２ｂ】
2019512389.tif 000005
【図３】
2019512389.tif 000006
【図４】
2019512389.tif 000007
【国際調査報告】
2019512389.tif 000008
2019512389.tif 000009